(57)【要約】【課題】記憶媒体の挿入の際に余分な電力を必要とすることなく、挿入後迅速に記憶媒体のロック状態を確保することができる電子機器を提供する。【解決手段】本技術の一形態に係る電子機器は、筐体と、端子電極と、ロック機構と、駆動ユニットとを具備する。ロック機構は、記憶媒体の係合部と係合可能なロック位置と係合部との係合を解除するアンロック位置との間を移動可能なアーム部材と、アーム部材をロック位置へ付勢する付勢部材とを有する。アーム部材は、第１の方向へ移動する記憶媒体に干渉してロック位置からアンロック位置側へ移動し、記憶媒体の接続端子が端子電極と接続された位置でロック位置へ復帰して第１の方向とは反対側の第２の方向への記憶媒体の移動を規制する。駆動ユニットは、第１のボタンへの入力操作に基づいて、アーム部材をロック位置からアンロック位置へ移動させる。【選択図】図１
2013131020.tif 000002
【特許請求の範囲】
【請求項１】
外周面に接続端子と係合部とを有する記憶媒体が第１の方向に挿入される挿入口と、前記第１の方向とは反対側の第２の方向に前記記憶媒体を前記挿入口から排出するための第１のボタンと、を有する筐体と、
前記筐体の内部に配置され、前記接続端子と接続可能な端子電極と、
前記係合部と係合可能なロック位置と前記係合部との係合を解除するアンロック位置との間を移動可能なアーム部材と、前記アーム部材を前記ロック位置へ付勢する付勢部材とを有し、前記アーム部材は、前記第１の方向へ移動する前記記憶媒体と干渉して前記ロック位置から前記アンロック位置側へ移動し、前記接続端子が前記端子電極と接続された位置で前記ロック位置へ復帰して前記第２の方向への前記記憶媒体の移動を規制する、前記挿入口と前記端子電極との間に配置されたロック機構と、
前記第１のボタンへの入力操作に基づいて、前記アーム部材を前記ロック位置から前記アンロック位置へ移動させる駆動ユニットと
を具備する電子機器。
【請求項２】
請求項１に記載の電子機器であって、
前記ロック機構は、前記第１の方向に移動する前記記憶媒体に当接することで前記アーム部材を前記ロック位置から前記アンロック位置へ向けて回動させる回動軸をさらに有する
電子機器。
【請求項３】
請求項１に記載の電子機器であって、
前記駆動ユニットは、
前記アーム部材と係合可能なカムと、
前記カムを回転させるモータと、
前記モータの駆動を制御する制御部とを有する
電子機器。
【請求項４】
請求項３に記載の電子機器であって、
前記駆動ユニットは、前記カムの回転位置を検出するセンサをさらに有し、
前記制御部は、前記センサの出力に基づいて前記モータの駆動を制御する
電子機器。
【請求項５】
請求項１に記載の電子機器であって、
前記筐体に取り付けられ、押圧操作によって前記アーム部材を前記ロック位置から前記アンロック位置へ機械的に移動させる第２のボタンをさらに具備する
電子機器。
【請求項６】
請求項１に記載の電子機器であって、
前記駆動ユニットは、前記アーム部材を前記ロック位置から前記アンロック位置へ移動させてから所定時間経過した後、前記アーム部材を前記ロック位置へ復帰させる
電子機器。
【請求項７】
請求項６に記載の電子機器であって、
前記駆動ユニットは、前記アーム部材を前記ロック位置へ復帰させた後、電源オフ操作を検出したときは、前記アーム部材を前記ロック位置から前記アンロック位置へ再度移動させる
電子機器。
【発明の詳細な説明】
【技術分野】
【０００１】
本技術は、記憶媒体が不用意に引き抜かれることを防止できる構造を有する電子機器に関する。
【背景技術】
【０００２】
一般に、記憶媒体ドライブ装置は、電子機器に形成されたスロットの内部に設けられており、記憶媒体がスロットに挿入されたときに記憶媒体の接続端子が記憶媒体ドライブ装置の端子電極に接続されて、電子機器と記憶媒体との間で情報信号の授受が可能な状態とされる。このような記憶媒体ドライブ装置においては、記憶媒体に対する情報信号の書込動作中に記憶媒体がスロットから引き抜かれてしまうと、記憶媒体のメモリ領域が破損して記憶媒体に書き込まれていた情報が消失し、あるいは、それ以後記憶媒体が使用できなくなってしまうおそれがある。
【０００３】
そこで、書込動作中の記憶媒体のスロットからの引き抜きを防止するために、記憶媒体ドライブ装置に記憶媒体が装着された状態においてロック機構によって記憶媒体を記憶媒体ドライブ装置に対してロックするようにしたものが知られている。例えば下記特許文献１には、記憶媒体ドライブ装置に記憶媒体が装着された状態において、電磁アクチュエータの駆動によってロック部材を記憶媒体の係合凹部に係合させてロック状態を確保する構造を備えた電子機器が記載されている。
【先行技術文献】
【特許文献】
【０００４】
【特許文献１】特開２００４−３３４５６２号公報
【発明の概要】
【発明が解決しようとする課題】
【０００５】
しかしながら上記特許文献１に記載の電子機器は、記憶媒体がスロットに挿入される前の状態においては、電磁アクチュエータへの通電を継続することでロック部材をロック解除位置へ保持するようにしている。このため、記憶媒体がスロットに挿入される前の待ち受け状態において、余分に電力が消費されるという問題があった。
【０００６】
また上記電子機器は、記憶媒体がスロットに挿入されてから記憶媒体の接続端子と電子機器の端子電極との接続状態が検出された後、ロック部材をロック位置へ移動させるようにしている。このため、記憶媒体がスロットに挿入されてからロック状態になるまでの間に一定の時間を要し、接続端子と端子電極との間が電気的に接続されてからロック状態になるまでの間に記憶媒体が引き抜かれるおそれがある。こうなると、上記接続状態を検出する回路に多大な負荷がかかり、回路の劣化を招くおそれがある。
【０００７】
以上のような事情に鑑み、本技術の目的は、記憶媒体の挿入の際に余分な電力を必要とすることなく、挿入後迅速に記憶媒体のロック状態を確保することができる電子機器を提供することにある。
【課題を解決するための手段】
【０００８】
以上の目的を達成するため、本技術の一形態に係る電子機器は、筐体と、端子電極と、ロック機構と、駆動ユニットとを具備する。
上記筐体は、外周面に接続端子と係合部とを有する記憶媒体が第１の方向に挿入される挿入口と、上記第１の方向とは反対側の第２の方向に上記記憶媒体を上記挿入口から排出するための第１のボタンと、を有する。
上記端子電極は、上記筐体の内部に配置され、上記接続端子と接続可能に構成される。
上記ロック機構は、上記係合部と係合可能なロック位置と上記係合部との係合を解除するアンロック位置との間を移動可能なアーム部材と、上記アーム部材を上記ロック位置へ付勢する付勢部材とを有する。上記アーム部材は、上記第１の方向へ移動する上記記憶媒体に干渉して上記ロック位置から上記アンロック位置側へ移動し、上記接続端子が上記端子電極と接続された位置で上記ロック位置へ復帰して上記第２の方向への上記記憶媒体の移動を規制する。上記ロック機構は、上記挿入口と上記端子電極との間に配置される。
上記駆動ユニットは、上記第１のボタンへの入力操作に基づいて、上記アーム部材を上記ロック位置から上記アンロック位置へ移動させる。
【０００９】
上記電子機器は、記憶媒体が挿入口へ挿入される前の待ち受け状態において、アーム部材が付勢部材によってロック位置で待機するように構成される。これにより上記電子機器によれば、記憶媒体の挿入の際に余分な電力を必要とすることなく、挿入後迅速に記憶媒体のロック状態を確保することができる。
【００１０】
上記ロック機構は、上記第１の方向に移動する上記記憶媒体に当接することで上記アーム部材を上記ロック位置から上記アンロック位置へ向けて回動させる回動軸をさらに有してもよい。
これによりアーム部材をロック位置からアンロック位置側へ円滑に移動させることができるため、記憶媒体の適正な挿入操作を確保することができる。
【００１１】
上記駆動ユニットは、上記アーム部材と係合可能なカムと、上記カムを回転させるモータと、上記モータの駆動を制御する制御部とを有してもよい。
これにより、ロック機構の構成の簡素化を実現することができるとともに、モータの一方向への回転動作によってアーム部材をロック位置とアンロック位置との間で移動させることができる。
【００１２】
上記駆動ユニットは、上記カムの回転位置を検出するセンサをさらに有してもよい。この場合、上記制御部は、上記センサの出力に基づいて上記モータの駆動を制御する。
これにより、アーム部材をロック位置又はアンロック位置へ精度よく移動させることができる。
【００１３】
上記電子機器は、第２のボタンをさらに具備してもよい。上記第２のボタンは、上記筐体に取り付けられ、押圧操作によって上記アーム部材を上記ロック位置から上記アンロック位置へ機械的に移動させる。
これにより、例えば電源オフ時においても記憶媒体を挿入口から容易に排出することができる。
【００１４】
上記駆動ユニットは、上記アーム部材を上記ロック位置から上記アンロック位置へ移動させてから所定時間経過した後、上記アーム部材を上記ロック位置へ復帰させてもよい。
これにより、記憶媒体の排出後、アーム部材をロック位置へ復帰させることができる。
【００１５】
上記駆動ユニットは、上記アーム部材を上記ロック位置へ復帰させた後、電源オフ操作を検出したときは、上記アーム部材を上記ロック位置から上記アンロック位置へ再度移動させるように構成されてもよい。
これにより、挿入口への記憶媒体の挿入及び排出を自由に行うことが可能となる。
【発明の効果】
【００１６】
以上のように、本技術によれば、記憶媒体の挿入の際に余分な電力を必要とすることなく、挿入後迅速に記憶媒体のロック状態を確保することができる。
【図面の簡単な説明】
【００１７】
【図１】本技術の実施形態に係る電子機器の全体構成を示す斜視図である。
【図２】上記電子機器の要部の正面図である。
【図３】上記電子機器に用いられる記憶媒体の全体斜視図である。
【図４】上記電子機器に内蔵されたドライブ装置の概略構成図である。
【図５】上記ドライブ装置の構成の一例を示す全体図である。
【図６】上記ドライブ装置のロック機構及びその周辺構造を示す拡大図である。
【図７】図６に示すドライブ装置の側面図である。
【図８】上記電子機器の操作例と制御例を説明するフロー図である。
【図９】上記ドライブ装置に記憶媒体が挿入されるときのロック機構の作用を説明するドライブ装置の要部拡大図である。
【図１０】上記記憶媒体に対するロック状態を説明するドライブ装置の要部拡大図である。
【図１１】上記記憶媒体に対するアンロック操作を説明するドライブ装置の要部拡大図である。
【図１２】上記記憶媒体に対する他のアンロック操作を説明するドライブ装置の要部拡大図である。
【図１３】上記電子機器の構成の変形例を説明する回路図である。
【発明を実施するための形態】
【００１８】
以下、本技術に係る実施形態を、図面を参照しながら説明する。
【００１９】
［電子機器の全体構成］
図１は、本技術の実施形態に係る電子機器の全体構成を示す斜視図であり、図２は、電子機器の要部の正面図である。図中、Ｘ軸方向及びＹ軸方向は相互に直交する水平方向を示し、Ｚ軸方向は鉛直方向を示している。
【００２０】
本実施形態の電子機器１は、記憶媒体Ｍが挿入される挿入口１１を有する筐体１０と、筐体１０の内部に設けられたドライブ装置Ｄ（図４参照）とを備え、記憶媒体Ｍに格納されたデータを処理するデータ処理装置として構成される。本実施形態における電子機器１は、例えば、図示しない情報処理装置に接続され、記憶媒体Ｍから読み出したデータを当該情報処理装置へ転送するデータ転送装置として構成される。
【００２１】
筐体１０は、前面部が開口した直方形状のケース本体１０１と、ケース本体１０１の前面部に取り付けられ、挿入口１１が形成されたフロントパネル１０２とを有する。フロントパネル１０２には、挿入口１１の近傍位置に、記憶媒体Ｍの排出時に押圧操作されるアンロックボタン１３（第１のボタン）が配置されている。
【００２２】
挿入口１１は、Ｚ軸方向に長手方向を有するスロットで形成されており、Ｘ軸方向に沿って記憶媒体Ｍが挿入口１１に挿入され、あるいは挿入口１１から排出される。挿入口１１からの記憶媒体Ｍの排出操作は、後述するように、アンロックボタン１３の押圧操作後、ユーザによる引き抜き操作で記憶媒体Ｍが挿入口１１から排出される。この際、記憶媒体Ｍの排出操作を容易に行えるように、挿入口１１に挿入された記憶媒体Ｍの後端の一部がフロントパネル１０２から部分的に突出するように、挿入口１１の形成領域の一部に凹部１０２ａが形成されている。
【００２３】
フロントパネル１０２には更に、電源ボタン１２と、エマージェンシボタン１４（第２のボタン）と、電子機器１の各種動作状態を表示する表示部１５等が配置されている。
【００２４】
電源ボタン１２は、電子機器１への電源の供給及びその遮断を切り替えるための押圧スイッチで構成される。エマージェンシボタン１４は、後述するように、電子機器１への電源供給が遮断された状態で挿入口１１から記憶媒体Ｍを排出する際に押圧操作される。表示部１５は、複数のＬＥＤ（Light Emitting Diode）を光源に有し、電子機器１の動作状態（ステータス、ネットワーク接続状況等）に応じて所定の発光パターンで明滅するように構成される。
【００２５】
電子機器１は、図１に示すようにフロントパネル１０２の長手方向を鉛直方向と平行に設置される場合に限られず、上記長手方向が水平方向（例えばＹ軸方向）と平行に設置されてもよい。
【００２６】
図３は記憶媒体Ｍの全体を示す斜視図である。
【００２７】
記憶媒体Ｍは、所定容量（例えば２５６ＧＢ）の半導体メモリを内蔵し、外周面に係合部Ｍ１と接続端子Ｍ２とを有する板状のパッケージメモリとして構成される。記憶媒体Ｍは、例えば放送用素材を格納するリムーバブル記憶メディアとして使用され、図示しない撮影用カメラで撮像された画像データを記憶する。
【００２８】
係合部Ｍ１は、記憶媒体Ｍの両側面の所定位置にそれぞれ形成された凹所あるいは溝で構成される。係合部Ｍ１は、記憶媒体の両側面に形成される例に限られず、一方側の側面にのみ形成されてもよい。
【００２９】
接続端子Ｍ２は、記憶媒体Ｍの挿入側端部（先端部）に形成された複数の接続ピンで構成される。接続端子Ｍ２は、記憶媒体Ｍが挿入口１１へ挿入されることで、電子機器１の内部に配置されたドライブ装置と電気的に接続される。
【００３０】
［ドライブ装置］
次に、ドライブ装置の詳細について説明する。
【００３１】
図４は本実施形態に係るドライブ装置Ｄの概略構成図である。ドライブ装置Ｄは、端子電極２０と、ロック機構３０と、駆動ユニット４０とを有する。
【００３２】
端子電極２０は、筐体１０の内部に配置され、挿入口からＸ１方向（第１の方向）に沿って挿入される記憶媒体Ｍの接続端子Ｍ２と接続可能に構成される。端子電極２０は、駆動ユニット４０のコントローラ４１に電気的に接続されている。
【００３３】
ロック機構３０は、挿入口１１に挿入された記憶媒体Ｍが不用意に引き抜かれることを防止するためのものである。すなわちロック機構３０は、記憶媒体Ｍの接続端子Ｍ２が端子電極２０と接続された状態において、所定のアンロック操作を経ないユーザによる記憶媒体Ｍの挿入口１１からの引き抜き操作を阻止する機能を有する。
【００３４】
後述するように、ロック機構３０は、Ｘ１方向に沿った記憶媒体Ｍの移動を許容する一方、接続端子Ｍ２が端子電極２０と接続された状態においてＸ１方向とは反対方向であるＸ２方向に沿った記憶媒体Ｍの移動を規制するように構成される。
【００３５】
駆動ユニット４０は、コントローラ４１（制御部）と、ロック機構３０を駆動する駆動部４２と、ロック位置センサ４３ａと、アンロック位置センサ４３ｂとを有する。コントローラ４１は、電源ボタン１２、アンロックボタン１３、ロック位置センサ４３ａ及びアンロック位置センサ４３ｂの出力に基づいて、駆動部４２を制御する。コントローラ４１は、主として、電源ボタン１２及びアンロックボタン１３の入力操作に基づいて、ロック機構３０をロック状態からアンロック状態へ切り替える機能を有する。
【００３６】
次に、図５を参照してドライブ装置Ｄの詳細について説明する。図５はドライブ装置Ｄの構成を示すＹ軸方向から見た平面図である。
【００３７】
ドライブ装置Ｄは、筐体１０の内部に固定される金属製のベースプレート５０と、ベースプレート５０に固定された端子電極２０と、ベースプレート５０に取り付けられた金属製のホルダ５１とを有する。ホルダ５１は、挿入口１１と端子電極２０との間を連通する通路５２を内部に有し、この通路５２を介して挿入口１１に挿入された記憶媒体Ｍの接続端子Ｍ２を端子電極２０との接続位置へガイドする。
【００３８】
ホルダ５１の内部空間（通路５２）は、記憶媒体Ｍの幅、厚みよりもやや大きな寸法を有し、通路５２に収容された記憶媒体Ｍの端子電極２０との接続状態を保持する収容部として構成される。ホルダ５１は、記憶媒体Ｍの両側面と対向する一対の側壁部５１ａ，５１ｂを有し、通路５２において記憶媒体Ｍの幅方向（図５においてＺ軸方向）の移動を規制する。端子電極２０は、コントローラ４１（図４）と電気的に接続される回路基板５３の上に、記憶媒体Ｍの接続端子Ｍ２と対向するように搭載される。
【００３９】
ロック機構３０は、挿入口１１と端子電極２０との間に配置される。本実施形態においてロック機構３０は、ベースプレート５０の上に搭載され、ホルダ５１の側壁部５１ａの外側に配置されている。ロック機構３０は、アーム部材３０１と、付勢部材３０２とを有する。
【００４０】
アーム部材３０１は、記憶媒体Ｍの係合部Ｍ１と係合可能なロック位置と、係合部Ｍ１との係合を解除するアンロック位置との間を移動可能に構成される。本実施形態においてアーム部材３０１は、支軸Ａ１（回動軸）に支持され、ロック位置とアンロック位置との間を回動可能に構成される。付勢部材３０２は、アーム部材３０１をロック位置へ付勢する弾性部材で構成され、本実施形態では付勢部材３０２としてトーションバネが用いられる。
【００４１】
駆動ユニット４０の駆動部４２は、アーム部材３０１と係合可能なカム４２１と、カム４２１を図５において反時計方向に回転させるモータ４２３と、モータ４２３を駆動するためのモータ基板４２５とを有する。カム４２１は、支軸Ａ２に支持されたギヤ４２２の一方の面に形成され、ギヤ４２２の回転位置によってアーム部材３０１と係合可能に構成される。モータ４２３は、ギヤ４２２と噛合するウォームギヤ４２４が取り付けられた回転軸を有する。モータ基板４２５は、モータ４２３とコントローラ４１（図４）とに電気的に接続され、コントローラ４１からの制御信号に基づいてモータ４２３へ出力される駆動信号を生成するための各種回路部品を搭載する。
【００４２】
図６はロック機構３０及び駆動部４２の詳細を示す拡大図であり、図７は、図６においてＺ軸方向から見た側面図である。
【００４３】
アーム部材３０１は、第１のアーム部３０１ａと、第２のアーム部３０１ｂと、連結部３０１ｃとを有する。連結部３０１ｃは、第１のアーム部３０１ａと第２のアーム部３０１ｂとを連結し、支軸Ａ１に回動自在に取り付けられる。第１のアーム部３０１ａは、支軸Ａ１のまわりに回動することで、ホルダ５１の側壁部５１ａに形成された開口５１ｗを介して通路５２の内側に突出するロック位置と、通路５２の外側に退避するアンロック位置とのいずれかをとり得る。第２のアーム部３０１ｂは、カム４２１と係合可能な位置に延び、図６において反時計方向に回転するカム４２１との係合により連結部３０１ｃを介して第１のアーム部３０１ａを回動させる。
【００４４】
付勢部材３０２は、アーム部材３０１を常時ロック位置へ付勢するように、その一端がベースプレート５０上の適宜の位置に係止され、他端が第１のアーム部３０１ａに係止されている。第１のアーム部３０１ａは、ホルダ５１の側壁部５１ａに形成された開口５１ｗの端部５１ｓに当接することで、通路５２側への突出量が規制される。
【００４５】
ギヤ４２２は、アーム部材３０１の第２のアーム部３０１ｂとベースプレート５０との間に配置されており、支軸Ａ２に回動自在に取り付けられる。ギヤ４２２の一方の面にはカム４２１が一体形成されており、他方の面には、モータ基板４２５の上に搭載されたロック位置センサ４３ａ及びアンロック位置センサ４３ｂを作動させることが可能な作動板４３０がベースプレート５０側に突出するように形成されている。作動板４３０は、ギヤ４２２の半径相当の長さを有し、ギヤ４２２と共に支軸Ａ２のまわりに回動する。
【００４６】
ロック位置センサ４３ａ及びアンロック位置センサ４３ｂは、ギヤ４２２とベースプレート５０との間に配置される。ロック位置センサ４３ａ及びアンロック位置センサ４３ｂは、図７に示すように、ギヤ４２２の作動板４３０と係合可能な位置に作動子Ｓａ，Ｓｂをそれぞれ有し、作動板４３０との係合により機械的に押圧されることで所定の出力を生成するように構成される。ロック位置センサ４３ａ及びアンロック位置センサ４３ｂは、カム４２１の回転位置を検出するためのもので、ロック位置センサ４３ａは、アーム部材３０１をロック位置に回動させるギヤ４２２の回転位置（図６）において作動板４３０と対向する位置に配置される。このカム４２１の回転位置では、第２のアーム部３０１ｂとカム４２１との間に一定以上の間隙が形成され、この間隙内においてアーム部材３０１の回動操作が可能とされる。一方、アンロック位置センサ４３ｂは、アーム部材３０１をアンロック位置に回動させるギヤ４２２の回転位置において（図１１）作動板４３０と対向する位置に配置される。
【００４７】
ドライブ装置Ｄはさらに、プッシュプレート１４０を有する。プッシュプレート１４０は、ホルダ５１の側壁部５１ａの外側においてギヤ４２２とベースプレート５０との間に配置され、側壁部５１ａの外面に沿ってＸ軸方向に移動可能に構成される。プッシュプレート１４０の先端部１４１は、アーム部材３０１の第１のアーム部３０１ａに対向し、後端部はフロントパネル１０２に臨むエマージェンシボタン１４を形成する。
【００４８】
プッシュプレート１４０には、コイルスプリング１４４の一端を係止する第１の係止片１４２が形成され、ベースプレート５０には、コイルスプリング１４４の他端を係止する第２の係止片１４３が形成される。プッシュプレート１４０は、コイルスプリング１４４により、図６に示す待機位置へ付勢されており、通常は、プッシュプレート１４０の先端部１４１とアーム部材３０１とが接触しない位置に退避される。
【００４９】
一方、プッシュプレート１４０は、所定の操作部材Ｐを用いたエマージェンシボタン１４への押圧操作により、コイルスプリング１４４の付勢力に抗してＸ１方向に沿って移動する。図１２は、エマージェンシボタン１４が押圧操作されたときのロック機構３０を示す拡大図である。この場合、プッシュプレート１４０の先端部１４１がロック位置にある第１のアーム部３０１ａをＸ１方向へ押圧し、アーム部材３０１をロック位置からアンロック位置側へ機械的に移動させる。
【００５０】
以上のように、本実施形態の電子機器１は、エマージェンシボタン１４を操作することによっても、記憶媒体Ｍに対するロック状態を解除することが可能に構成されている。エマージェンシボタン１４は通常、不用意に記憶媒体Ｍが排出されることを防止するため、フロントパネル１０２の表面から機器内部側に潜った位置に配置されている。さらに指では操作できないように、ピン等の比較的細い治具を用いて操作されるように構成される。このため、エマージェンシボタン１４は通常時での使用を想定されてはおらず、何らかの理由で機器の制御が不能となり、通常のアンロック操作が有効でないときに使用される。
【００５１】
［電子機器の動作］
次に、電子機器１の典型的な動作について説明する。図８は、電子機器１に対する操作例と駆動ユニット４０の動作例を示すフロー図である。
【００５２】
電源ボタン１２が押圧操作されることで、駆動ユニット４０のコントローラ４１は電源ＯＮ操作を検出する（ステップＳＴ１０１）。これによりコントローラ４１は、モータ４２３を駆動し、ギヤ４２２を回転させて、アーム部材３０１を図６に示すロック位置へ移動させる（ステップＳＴ１０２）。
【００５３】
コントローラ４１は、ロック位置センサ４３ａの出力に基づいてアーム部材３０１のロック位置を検出する。ロック位置センサ４３ａは、ギヤ４２２の作動板４３０による作動子Ｓａの押し込みを検出してその出力信号をコントローラ４１へ供給する。コントローラ４１は、当該ロック位置センサ４３ａの出力に基づいてモータ４２３の駆動を停止する。これによりアーム部材３０１を精度よくロック位置へ移動させることができる。
【００５４】
このとき図６に示すように、ギヤ４２２上のカム４２１はアーム部材３０１と非係合状態にある。このためアーム部材３０１は、付勢部材３０２の付勢力を受けて、側壁部５１ａの開口５１ｗを介して通路５２の内部に突出するロック状態に移動させられる。これにより、挿入口１１への記憶媒体Ｍの挿入操作を待ち受ける状態（待ち受け状態）が設定される。
【００５５】
挿入口１１へ記憶媒体Ｍが挿入されると（ステップＳＴ１０３）、ロック機構３０は、駆動ユニット４０による制御を受けることなく、自動的に記憶媒体Ｍをロックする状態に遷移する（図９、図１０）。
【００５６】
図９及び図１０は、ロック機構３０による記憶媒体Ｍのロック操作を説明する要部の拡大図である。挿入口１１に挿入された記憶媒体Ｍは、ホルダ５１の両側壁部５１ａ，５１ｂにガイドされて通路５２内をＸ１方向に沿って移動し、その移動の過程で、アーム部材３０１の第１のアーム部３０１ａは記憶媒体Ｍと干渉（当接）することで、図９に示すようにロック位置から側壁部５１ａの外側（アンロック位置側）に向けて移動する。これにより、記憶媒体ＭはＸ１方向に沿った移動を阻害されることなく、通路５２を進入することが可能となる。
【００５７】
ここで、記憶媒体Ｍの挿入端の隅部にテーパ部Ｍ３が形成されることで、アーム部材３０１のロック位置からアンロック位置側への移動を円滑に行うことができる。
【００５８】
一方、アーム部材３０１は、付勢部材３０２の付勢力を常時受けているため、記憶媒体Ｍの移動の間、記憶媒体Ｍの側周面上に当接する。そして図１０に示すように、記憶媒体Ｍの接続端子Ｍ２が端子電極２０に接続される位置にまで記憶媒体Ｍが到達すると、アーム部材３０１は記憶媒体Ｍの係合部Ｍ１に係合する。係合部Ｍ１は凹所で形成されているため、アーム部材３０１（第１のアーム部３０１ａ）の先端部と凹凸係合することで、記憶媒体ＭのＸ２方向（引き抜き方向）への移動が規制される。これにより記憶媒体Ｍに対するロック機構３０によるロック状態が確立される。
【００５９】
本実施形態によれば、アーム部材３０１を付勢部材３０２の付勢力によりロック位置へ待機させる構成としているので、アーム部材３０１をロック位置へ待機させるための電力は必要とされず、したがって無給電でロック機構３０をロック位置へ待機させることができる。また、記憶媒体Ｍが端子電極２０と接続されると同時に記憶媒体Ｍのロック状態を確立することができるため、挿入後迅速に記憶媒体のロック状態を確保することができる。
【００６０】
また、アーム部材３０１が支軸Ａ１を支点として回動可能に構成されているため、記憶媒体Ｍとの干渉によるロック位置からアンロック位置側へのアーム部材３０１の移動を円滑に行うことができるとともに、記憶媒体Ｍの適正な挿入操作を確保することができる。
【００６１】
続いて、コントローラ４１は、端子電極２０からの出力に基づいて記憶媒体Ｍとの電気的接続状態を確認した後、記憶媒体Ｍに格納されたデータの処理工程を実行する（ステップＳＴ１０４）。データ処理工程として本実施形態では、端子電極２０を介して記憶媒体Ｍの格納データを読み出し、これを図示しない情報処理装置へ転送し、あるいは図示しない表示装置へ出力して映像を再生する。
【００６２】
データ処理の完了後、ユーザによるアンロックボタン１３の押圧操作がコントローラ４１により検出されると（ステップＳＴ１０５）、コントローラ４１は、モータ４２３を駆動し、図１１に示すようにギヤ４２２を支軸Ａ２のまわりに反時計方向に所定角度回転させる。これによりアーム部材３０１は、アンロック位置へ移動させられる（ステップＳＴ１０６）。
【００６３】
図１１は、アーム部材３０１がアンロック位置にあるときの状態を示している。コントローラ４１は、アンロック位置センサ４３ｂの出力に基づいてアーム部材３０１のアンロック位置を検出する。アンロック位置センサ４３ｂは、ギヤ４２２の作動板４３０による作動子Ｓｂの押し込みを検出してその出力信号をコントローラ４１へ供給する。コントローラ４１は、当該アンロック位置センサ４３ｂの出力に基づいてモータ４２３の駆動を停止する。これによりアーム部材３０１を精度よくアンロック位置へ移動させることができる。
【００６４】
このとき図１１に示すように、ギヤ４２２上のカム４２１はアーム部材３０１（第２のアーム部３０１ｂ）と係合状態にある。このためアーム部材３０１（第１のアーム部３０１ａ）は、付勢部材３０２の付勢力を受けて、側壁部５１ａの外側に退避したアンロック位置へ移動させられる。これにより、記憶媒体Ｍに対するロック状態が解除され、Ｘ２方向に沿った記憶媒体Ｍの抜き取り操作が可能となる（ステップＳＴ１０７）。
【００６５】
コントローラ４１は、アーム部材３０１をロック位置からアンロック位置へ移動させ、端子電極２０からの出力に基づいて記憶媒体Ｍとの電気的接続が切れたことをもって記憶媒体Ｍが排出されたと判断し、それから所定時間経過した後、アーム部材３０１をロック位置へ復帰させる処理を実行する（ステップＳＴ１０８）。
【００６６】
これにより、記憶媒体Ｍが挿入口１１から排出された後、例えば別の記憶媒体が挿入口１１へ挿入されるまでの間に、アーム部材３０１がロック位置に復帰させることが可能となり、当該記憶媒体の挿入時に上述したような適正なロック操作が確保されることになる。上記所定時間としては特に限定されず、例えば数秒〜数分の間で設定可能である。
【００６７】
コントローラ４１は、電源ボタン１２が再度押圧操作されることで、電源ＯＦＦ操作を検出すると（ステップＳＴ１０９）、モータ４２３を駆動し、ギヤ４２２を回転させて、アーム部材３０１を図１１に示すアンロック位置へ再度移動させる（ステップＳＴ１１０）。これにより、挿入口１１への記憶媒体の挿入及び排出を自由に行うことが可能となる。
【００６８】
特に本実施形態においては、記憶媒体Ｍが挿入される前の待ち受け状態において、ロック機構３０のアーム部材３０１が機械的にロック位置へ付勢されているため、電源ＯＦＦの際にはコントローラ４１によるモータ４２３の駆動制御が不可能となる。このため、電源ＯＦＦ時にアーム部材３０１をロック位置に移動させたままの状態では、記憶媒体Ｍを挿入した後、電源を再度ＯＮにするか、エマージェンシボタン１４を操作しないとアンロック操作が行えなくなる。このような操作はユーザにとって不便を感じさせる場合があるため、本実施形態では電源ＯＦＦ操作があった時はロック機構３０をアンロック状態に保持して電源ＯＦＦ処理を実行するように構成される。
【００６９】
以上のように本実施形態によれば、記憶媒体Ｍの挿入の際に余分な電力を必要とすることなく、挿入後迅速に記憶媒体のロック状態を確保することができる。これにより、電子機器１の省電力化を図ることができるとともに、記憶媒体の不用意な排出操作を防止でき、記憶媒体に格納されたデータの保護を図ることができる。
【００７０】
また、記憶媒体Ｍが端子電極２０に接続された後に、これらの接続状態をコントローラ４１によって電気的に検出している間に記憶媒体が引き抜かれることを防止し、当該検出回路に多大な負荷がかかることによる回路の劣化を有効に阻止することが可能となる。
【００７１】
さらに本実施形態によれば、モータ４２３に対する一方向への回転駆動のみでアーム部材３０１をロック位置とアンロック位置との間で移動させることができるので、構成及び制御の簡素化を実現することができる。
【００７２】
以上、本技術の実施形態について説明したが、本技術は上述の実施形態にのみ限定されるものではなく、本技術の要旨を逸脱しない範囲内において種々変更を加え得ることは勿論である。
【００７３】
例えば以上の実施形態では、アーム部材をロック位置からアンロック位置へ移動させるためにカムを用いたが、これに限られず、例えばソレノイドの駆動により直動するプランジャやボールネジユニット等を用いてアーム部材を直接押圧し、ロック位置からアンロック位置へ移動させてもよい。
【００７４】
また、ロック機構３０はホルダ５１の一方側の側壁部５１ａに配置されたが、これに限られず、他方側の側壁部５１ｂ側に配置されてもよいし、あるいは、各々の側壁部５１ａ，５１ｂ側にそれぞれ配置されてもよい。
【００７５】
さらに、例えば図１３に示す予備回路７０が当該電子機器に内蔵されてもよい。この回路７０は、商用電源に接続される電源端子７１と、接地端子７２と、電源端子７１と接地端子７２との間に設けられた整流素子７３及び負荷７４と、電源端子７１と接地端子７２との間に整流素子７３に対して並列的に配置されたコンデンサ７５とを有する。負荷７４は、上述の実施形態においてアーム部材３０１を移動させるモータ４２３の駆動回路に相当する。この予備回路７０は、アーム部材がロック位置にあるときに、電源ボタンを操作せずに電源供給が遮断された場合でも、コンデンサ７５に充電された電荷によって、アーム部材をアンロック位置へ移動させることが可能となる。コンデンサ７５の容量は、負荷７４の抵抗、駆動時間、駆動電流等に応じて適宜設定され、例えば、数百〜数千μＦに設定される。
【００７６】
なお、本技術は以下のような構成も採ることができる。
（１）外周面に接続端子と係合部とを有する記憶媒体が第１の方向に挿入される挿入口と、前記第１の方向とは反対側の第２の方向に前記記憶媒体を前記挿入口から排出するための第１のボタンと、を有する筐体と、
前記筐体の内部に配置され、前記接続端子と接続可能な端子電極と、
前記係合部と係合可能なロック位置と前記係合部との係合を解除するアンロック位置との間を移動可能なアーム部材と、前記アーム部材を前記ロック位置へ付勢する付勢部材とを有し、前記アーム部材は、前記第１の方向へ移動する前記記憶媒体と干渉して前記ロック位置から前記アンロック位置側へ移動し、前記接続端子が前記端子電極と接続された位置で前記ロック位置へ復帰して前記第２の方向への前記記憶媒体の移動を規制する、前記挿入口と前記端子電極との間に配置されたロック機構と、
前記第１のボタンへの入力操作に基づいて、前記アーム部材を前記ロック位置から前記アンロック位置へ移動させる駆動ユニットと
を具備する電子機器。
（２）上記（１）に記載の電子機器であって、
前記ロック機構は、前記第１の方向に移動する前記記憶媒体に当接することで前記アーム部材を前記ロック位置から前記アンロック位置へ向けて回動させる回動軸をさらに有する
電子機器。
（３）上記（１）又は（２）に記載の電子機器であって、
前記駆動ユニットは、
前記アーム部材と係合可能なカムと、
前記カムを回転させるモータと、
前記モータの駆動を制御する制御部とを有する
電子機器。
（４）上記（３）に記載の電子機器であって、
前記駆動ユニットは、前記カムの回転位置を検出するセンサをさらに有し、
前記制御部は、前記センサの出力に基づいて前記モータの駆動を制御する
電子機器。
（５）上記（１）から（４）のいずれか１つに記載の電子機器であって、
前記筐体に取り付けられ、押圧操作によって前記アーム部材を前記ロック位置から前記アンロック位置へ機械的に移動させる第２のボタンをさらに具備する
電子機器。
（６）上記（１）から（５）のいずれか１つに記載の電子機器であって、
前記駆動ユニットは、前記アーム部材を前記ロック位置から前記アンロック位置へ移動させてから所定時間経過した後、前記アーム部材を前記ロック位置へ復帰させる
電子機器。
（７）上記（６）に記載の電子機器であって、
前記駆動ユニットは、前記アーム部材を前記ロック位置へ復帰させた後、電源オフ操作を検出したときは、前記アーム部材を前記ロック位置から前記アンロック位置へ再度移動させる
電子機器。
【符号の説明】
【００７７】
１…電子機器
１０…筐体
１１…挿入口
１２…電源ボタン
１３…アンロックボタン
１４…エマージェンシボタン
２０…端子電極
３０…ロック機構
４０…駆動ユニット
４１…コントローラ
４２…駆動部
４３ａ…ロック位置センサ
４３ｂ…アンロック位置センサ
３０１…アーム部材
３０２…付勢部材
４２１…カム
４２３…モータ
Ｍ…記憶媒体
Ｍ１…係合部
Ｍ２…接続端子
【図１】
2013131020.tif 000003
【図２】
2013131020.tif 000004
【図３】
2013131020.tif 000005
【図４】
2013131020.tif 000006
【図５】
2013131020.tif 000007
【図６】
2013131020.tif 000008
【図７】
2013131020.tif 000009
【図８】
2013131020.tif 000010
【図９】
2013131020.tif 000011
【図１０】
2013131020.tif 000012
【図１１】
2013131020.tif 000013
【図１２】
2013131020.tif 000014
【図１３】
2013131020.tif 000015